(57)【要約】  本発明は、物体をホルダに固定するための装置（１００）であって、その装置は、固定すべき物体の壁の一つ、好ましくは、後部壁に固定されたプラテン（１１０）及びホルダに固定手段を締める締め付け手段（１２０）を備え、その締め付け手段（１２０）は軸線（Ｎ）を中心にプラテン（１１０）に対して回転することができ、それによって、プラテン（１１０）に対して折り返されるか、または、プラテン（１１０）に垂直に立てられることができる装置において、締め付け手段（１２０）をプラテン（１１０）に垂直な使用位置にロックするためのロック手段を備えることを特徴とする固定装置に関する。  本発明の装置においてロック手段は、つめ（１３０）によって構成され、そのつめは、締め付け手段（１２０）が立てられた位置にあるとき、その締め付け手段（１２０）の内側面（１２４）に対して支持面によってもたれて配置され、この位置で締め付け手段を固定する第一の嵌まる位置と、締め付け手段（１２０）がその外れたつめ（１３０）の前を通って、プラテン（１１０）の方へ自由に回転できる第二の外れた位置との間で移動することができ、したがって、締め付け手段（１２０）の折り返された位置で、つめ（１３０）は締め付け手段（１２０）の内側面（１２４）以外の面（１２５）の一つの正面にまたは対向して位置する。【選択図】  図４
2010516955.tif 000002
【特許請求の範囲】
【請求項１】
物体をホルダに固定するための装置（１００）であって、
固定すべき物体の壁の一つ、好ましくは、後部壁に固定されたプラテン（１１０）及びホルダに固定手段を締める締め付け手段（１２０）を備え、
その締め付け手段（１２０）は、回転軸線（Ｎ）を中心にプラテンに対して回転することができ、それによって、プラテン（１１０）に対して折り返されるか、またはプラテン（１１０）に垂直に立たせることができ、そのプラテン（１１０）に垂直に立てられた使用位置で締め付け手段（１２０）をロックすることができるロック装置を備える固定装置（１００）において、
ロック手段が、つめ（１３０）によって構成され、そのつめは、締め付け手段が立てられた位置にあるとき、その締め付け手段（１２０）の内側面（１２４）に対して支持面によってもたれて配置され、この位置で締め付け手段を固定する第一の嵌まる位置と、締め付け手段（１２０）がその離れたつめ（１３０）の前を通って、プラテン（１１０）の方へ自由に回転できる第二の外れた位置との間で移動することができ、したがって、締め付け手段（１２０）の折り返された位置で、つめ（１３０）は締め付け手段（１２０）の内側面（１２４）以外の面（１２５）の一つの正面にまたは対向して位置する
ことを特徴とする固定装置。
【請求項２】
前記つめ（１３０）を嵌まる位置に保持しようとするばね（１３２）を備える
請求項１に記載の固定装置（１００）。
【請求項３】
締め付け手段（１２０）の外縁部（１２５）に傾斜面（１２６）を備え、締め付け手段（１２０）の回転時には、つめ（１３０）がその折り返された位置と立てられた位置との間でその傾斜面を滑ることができ、つめ（１３０）は、この回転運動中、締め付け手段（１２０）の外縁部（１２５）を越え、締め付け手段（１２０）をその立てられた位置に固定するまで、ばね（１３２）の作用によって締め付け手段（１２０）の外縁部（１２５）を回る
請求項２に記載の固定装置（１００）。
【請求項４】
つめ（１３０）がロック解除ボタン（１３３）を備え、そのボタンを押すかまたは引っ張って、もしもの場合にはばね（１３２）の作用に逆らって、つめ（１３０）をその外れた位置に移動させることができる
請求項１〜３のいずれか一つに記載の固定装置（１００）。
【請求項５】
つめ（１３０）が、締め付け手段（１２０）の回転軸線（Ｎ）上に配置されている
請求項１〜４のいずれか一つに記載の固定装置（１００）。
【請求項６】
ばね（１３２）が、好ましくは、締め付け手段（１２０）の回転軸線（Ｎ）の内部に配置された圧縮ばねである
請求項２〜５のいずれか一つに記載の固定装置（１００）。
【請求項７】
つめ（１３０）が、並進運動に応じてその二つの極端な位置の間を移動できる
請求項１〜６のいずれか一つに記載の固定装置（１００）。
【請求項８】
締め付け手段（１２０）が、締め付け手段（１２０）上に配置された作動手段（１２２）を備え、それによって、その締め付け手段の側面から操作できる
請求項１〜７のいずれか一つに記載の固定装置（１００）。
【請求項９】
締め付け手段が、くつわ状部材（１２１）及び締め付けねじ（１２２）を具備し、どちらも回転軸線（Ｎ）を中心にして回転することのできるナット（１２０）を備える
請求項１〜８のいずれか一つに記載の固定装置（１００）。
【請求項１０】
プラテン（１１０）が、軸線（Ｐ）を中心にして９０°回転することができ、鉛直ホルダまたは水平ホルダに区別なく物体を固定することができる
請求項１〜９のいずれか一つに記載の固定装置（１００）。
【請求項１１】
回転式固定手段（１１０、１２０）の軸運動を、好ましくは、互いに９０°に位置する二つの極端な位置の間に制限する停止手段を備え、これらの停止手段は、好ましくは、プラテン（１１０）に連結され、固定すべき物体の壁（１５０）に形成された案内溝（１０２）と協働するか、または、固定すべき物体に連結され、プラテンの壁に形成された案内溝と協働する案内及び停止くさび（１１１）を備える
請求項１〜１０のいずれか一つに記載の固定装置（１００）。
【請求項１２】
どちらかの使用位置に締め付け手段（１２０）の軸運動を案内する案内手段を備え、これらの案内手段は、好ましくは、締め付け手段（１２０）に形成される案内リブ（１２７）及び少なくとも一つの使用位置に対向する固定すべき物体（１５０）の壁に形成され、締め付け手段（１２０）が使用位置の方向へ回転軸線（Ｎ）を中心に回転するとき案内リブがその内部に浸入することができる少なくとも一つの案内溝（１０６）を備える
請求項１０または１１に記載の固定装置（１００）。
【請求項１３】
プラテン（１１０）をその使用位置の少なくとも一つにブロックするためのブロック手段を備え、これらのブロック手段は、好ましくは、締め付け手段（１２０）上に配置された針を備え、その針は、締め付け手段（１２０）が使用位置に立てられると、固定すべき物体の壁に形成された指針溝内に侵入する
請求項１０〜１２のいずれか一つに記載の固定装置（１００）。
【請求項１４】
回転式締め付け手段（１２０）が溝を備え、その溝のサイズは水平ホルダの従来のサイズに一致し、溝は好ましくは締め付け手段（１２０）のくつわ状部材（１２１）内に形成される
請求項１〜１３のいずれか一つに記載の固定装置（１００）。
【請求項１５】
固定手段が、特定の場所、例えば、ラックに固定すべき物体を侵入させる手段を備え、その導入手段は好ましくは物体の後部壁（１５０）に平行なくさびを備え、後部壁（１５０）に対して円形運動を描くことができ、そのくさびはラックの場所の側面壁の一つに形成された案内溝に侵入することができ、したがって、案内溝内のくさびの運動によって、固定すべき物体がその場所に入るように促される
請求項１〜１４のいずれか一つに記載の固定装置（１００）。
【請求項１６】
特定の場所に固定されるべき物体の良好な配置を検出するためのセンサを備え、そのセンサは、固定手段内に、好ましくはくさびの近傍に配置された磁石と協働するホール効果センサである
請求項１５に記載の固定装置（１００）。
【請求項１７】
締め付け手段（１２０）の内側面と協働するようにサイズが決定された支持面を備えるつめ（１３０）、及び、同様に締め付け手段（１２０）用の回転軸（Ｎ）として働くことができる軸棒（１３１）及び／または特にその軸棒（１３１）のもう一つの端部に固定することのできるロック解除ボタン（１３３）及び／またはばね（１３２）を備える
ことを特徴とする請求項１〜１６のいずれか一つに記載の固定装置用ロック手段。
【発明の詳細な説明】
【技術分野】
【０００１】
本発明は、物体をホルダに固定するための装置に関し、固定すべき物体の壁の一つ、好ましくは、後部壁に固定されたプラテン及びホルダ上で固定手段を締める締め付け手段を備え、その締め付け手段は軸線（Ｎ）を中心にプラテンに対して回転することができ、それによってプラテンに対して折り返されるか、プラテンに垂直に立てられることができ、プラテンに垂直に立てられた使用位置で締め付け手段をロックすることができるロック装置を備える固定装置に関する。
【背景技術】
【０００２】
本発明の固定装置は、特に、ホルダの向きにかかわらず、最適な空間位置に固定される前の物体のためのものである。その例としては、鉛直な支柱や水平なレールやラックに固定することができる注射器ポンプなどのような医療用モジュールが挙げられる。固定されなければならないホルダが何であれ、空間内におけるその向きは常に一定である必要があり、すなわち、注射器ポンプの上部は上に、下部は下になっている必要がある。一般的に、これらのポンプを「寝かせた」位置、すなわち、水平軸に対して９０°回転させた位置で使用することはできない。
【０００３】
特許文献１に、従来装置が開示されている。医療用モジュールは、その後部面に、水平ホルダ及び鉛直ホルダ上にその固定を可能にする最適な二つの位置の間で回転することができる固定手段を備える。これらの固定手段は、一つは、二つの垂直位置の間を回転することができるようにモジュールの後部面に固定されたプラテンと、もう一つは、任意に、特に収納のためプラテンに対して折り返され、また反対に選択したホルダにモジュールを固定することができるように、プラテンに垂直な位置に立たせるために回転することができる締め付け手段、この場合は、くつわ状部材及びねじくぎを備えるナットから構成される。締め付け手段が真っ直ぐに立てられた位置にあるときのみ折り返されることを防ぐために、ロック手段が備えられている。これらのロック手段は、プラテンの回転軸線と交わる回転軸線を中心にして回転する差し錠を備えていて、また、その差し錠は、作動すると、締め付け手段の内部側面に対してもたれかかり、回転をブロックする平らな縁部付きの偏心部分を備え、ロックが解除されているときには、締め付け手段をロックに対して折り返すことができる。さらに、締め付け手段が予期せぬときに立ち上がることを防止するために、締め付け手段及び／またはプラテンには、締め付け手段がプラテンに対して折り返された位置にあるとき、締め付け手段をプラテンに対して保持すると共に、締め付け手段を固定することがないようにする保持手段が備えられる。これらの保持手段は、好ましくは磁石によって構成される。
【０００４】
この装置によって、使用に大きな順応性が生まれ、水平ホルダまたは鉛直ホルダ上に固定することができ、収納時には固定ナットをモジュールに対して折り返すことが可能となる。モジュールがそのホルダに固定されているとき、ロック手段はナットが真っ直ぐに立つことを防止するが、その収納時にはナットが真っ直ぐに立つことを磁石が防止する。
【０００５】
しかしながら、ロック操作は常に簡単なわけではない。実際、ナットをプラテンに垂直に立てた位置に保ちながら、一方で、差し錠を四分の一回転させて、この立てた位置にナットを固定しなければならない。差し錠が容易に回転したとしても、その場合、モジュールがそのホルダに固定されているとき、ナットはモジュールに遊びを残して、立てられた位置にしっかりと固定されてはいないで、反対に、差し錠の回転が難しいときは、それによって、確かにナットの立てられた位置に確実に固定することはできるが、良好なロック状態を確実にするためにはある程度の力が必要になる。この場合、ナットを真っ直ぐに立てた位置にロックすることをあきらめる人は少なくない。また、差し錠が完全に回転しなければ、ナットは正確に固定されず、使用時に折り返され、一緒にモジュールを引っ張る恐れがある。その上、差し錠はプラテンとナットによって形成される角にあり、言い換えれば、接近困難な箇所にある。
【先行技術文献】
【特許文献】
【０００６】
【特許文献１】フランス特許第２８８１５０７号Ａ１
【発明の概要】
【発明が解決しようとする課題】
【０００７】
本発明は、締め付け手段を、立たせた位置で容易にロックすることができる前記の固定装置を提供することを課題とする。本発明の別の課題は、特に磁石の形態から成る別の保持手段を使用しないことが可能な固定装置を提供することである。
【課題を解決するための手段】
【０００８】
主な課題を解決する本発明は、ロック手段が、つめによって構成されていて、そのつめは、締め付け手段が立てられた位置にあるとき、その締め付け手段の内側面に対して支持面によってもたれて配置され、この位置で締め付け手段を固定する第一の嵌まる位置と、その外れたつめの前を通って、締め付け手段が折り返される位置または立てられる位置で自由に回転できる第二の外れた位置との間で移動することができ、したがって、締め付け手段の折り返された位置で、つめは締め付け手段の内側面以外の面の一つの正面にまたは対向して位置する。そのようにして、締め付け手段をどちらかの方向へ回転させるためには、つめを外すだけで十分であり、一方、これらの締め付け手段が立てられた位置にあるとき、締め付け手段は嵌まる位置で固定される。そのため、締め付け手段及びプラテンによって形成される角内に配置された差し錠を回転させる必要がなくなる。
【０００９】
本発明の一実施態様によると、つめを嵌まる位置に保持しようとするばねが備えられる。言い換えれば、締め付け手段が立てられるとすぐに、つめは自動的にその固定位置をとる。また、たとえ、モジュールまたはそのホルダが振動しているとしても、つめは嵌まる位置にあり、モジュールが都合の悪いときに折り返される恐れはない。
【００１０】
締め付け手段が立てられているとき、つめを手動で外す必要がなく、つめを自動的に案内することができるように、締め付け手段の外縁部に傾斜面を備え、締め付け手段の回転時には、つめはその折り返された位置と立てられた位置との間で傾斜面を滑ることができるようにすることが好ましい。つめは、この回転運動中、外縁部を越え、締め付け手段をその立てられた位置に固定するまで、ばねの作用によって締め付け手段の外縁部を回る。
【００１１】
この傾斜面は、つめのカムとして働く。つめは、どの位置にあっても、つめをその嵌まる位置に戻そうとするばねの力を受ける。締め付け手段が折り返されると、つめはばねの作用で傾斜面によりかかる。締め付け手段が立てられた位置の方向で、その戻した位置から離れるほど、傾斜面は、締め付け手段の外側縁部が通過できるように十分に離れるまで、つめをその嵌まる位置から遠ざけようとする。この外側縁部がつめを越えるとすぐに、つめは、傾斜面を離れ、ばねの作用で自動的にその嵌まる位置に戻る。
【００１２】
この解決法には、保持手段として働くという第二の利点がある。実際、つめは、傾斜面によりかかって、締め付け手段をその折り返された位置に押しつけようとする。締め付け手段は、ばねの戻り作用を越えたときしか立てられない。ばねは、重力の作用に逆らっても締め付け手段を折り返した位置に保持するために十分な力があるようにサイズが決定されるが、ユーザが過度の力をかけなくても締め付け手段を立てることができるように、大き過ぎないように決められる。
【００１３】
つめが締め付け手段のロック位置にあるとき、つめをロック解除することができるためには、もしもの場合ばねの作用に対抗して、つめをその外れた位置に移動させるように押したり引いたりすることのできるロック解除ボタンを備えることが好ましい。
【００１４】
最も単純なのは、締め付け手段の回転軸につめを配置することで構成される。つめは、例えば、締め付け手段の回転用軸として働く軸棒の端部に配置することができる。また、ばねは圧縮ばねであることが好ましく、さらに好ましくは締め付け手段の回転軸の内部に配置される。つめは、並進運動に応じて、その二つの位置の間で移動することができるように設計されるのが好ましい。
【００１５】
本発明によると、締め付け手段は、その締め付け手段上に配置され、固定手段の側面から操作できる作動手段を備える。そのようにして、オペレータは、固定手段、したがって、モジュールの側面から作動手段にアクセスすることができ、それによって、従来技術での多くの場合のように、後方からアクセスするよりかなり簡単である。
【００１６】
モジュールの水平及び鉛直固定を可能にするためには、プラテンは、軸線（Ｐ）を中心にして９０°回転することができるのが好ましい。
【００１７】
締め付け手段は、軸線（Ｎ）を中心にしてどちらも回転することのできるくつわ状部材及び締め付けねじくぎを具備するナットを備えることが好ましい。これは、特に単純かつ実用的で、産業的に実現が容易な実施態様である。
【００１８】
本発明による固定装置の使用を容易にするために、回転式固定手段の軸運動を、好ましくは、互いに９０°に位置する二つの極端な位置の間に制限する停止手段を備えることが好ましい。そのようにして、固定手段は、互いに垂直な二つの位置しかとることができない。しかしながら、また、回転式固定手段は、そのように各型の水平または鉛直ホルダに可能な二つの位置を示すので、互いに９０°ずれた異なる四つの位置をとることを可能にすることができる。停止手段は、例えば、プラテンに連結され、固定すべき物体の壁に形成された案内溝と協働するか、または、固定すべき物体に連結され、プラテンの壁に形成された案内溝と協働する案内及び停止軸から構成され得る。
【００１９】
締め付け手段は、プラテンが使用位置にあるときだけ真っ直ぐに立つことができるように、すなわち、二つの使用位置間の中間位置では締め付け手段が真っ直ぐに立つことを禁止することが好ましい場合がある。そのため、どちらかの使用位置で締め付け手段の軸運動を案内する案内手段を備えることが好ましい。それは、例えば、締め付け手段に形成される案内リブ及び少なくとも一つの使用位置に対向する固定すべき物体の壁に形成され、締め付け手段が使用位置の方向へ軸線（Ｎ）を中心に回転するとき、案内リブがその内部に侵入することができる少なくとも一つの案内溝の形態のこれらの案内手段を考案することによって、実現できる。プラテンが使用位置の一つに配置されていないとき、リブは案内溝の一つに侵入することができない。そのとき、リブは立てられる位置の方への締め付け手段の回転運動を妨げる。したがって、締め付け手段を使用位置で立たせるためには、プラテンを正確に配置する必要がある。
【００２０】
固定装置を開いた位置で最大限に安定させ、固定すべき物体が横に回転する恐れがないようにするためには、締め付け手段を立たせるための角度指針を備えることが好ましい。そのため、プラテンをその使用位置の少なくとも一つにブロックするためのブロック手段を備え、これらのブロック手段は、好ましくは、締め付け手段上に配置された針を備え、その針は、締め付け手段が使用位置に立てられると、固定すべき物体の壁に形成された指針溝内に侵入する。案内手段は原則的には遊びのない運動が可能である必要はないが、この角度指針は可能な限り正確で、遊びがないことが好ましい。
【００２１】
固定手段は、水平ホルダの従来のサイズに一致するサイズの溝を備えることが好ましく、その溝は好ましくは締め付け手段のくつわ状部材内に形成される。したがって、締め付け手段を配置する前に、モジュールがそれ自体の重量の作用で回転する恐れがなく、断面が長方形の水平レール上にモジュールを配置することができる。最も大きいものから最も細かいものまで、複数の溝を一緒に重ねて並べて、複数のサイズのレールを備えることができる。
【００２２】
本発明の一実施態様では、固定手段は、特定の場所、例えば、ラックに固定すべき物体を侵入させる手段を備え、その導入手段は好ましくは物体の後部壁に平行なくさびを備え、固定すべき物体の後部壁に対して円形運動を描くことができ、そのくさびはラックの場所の側面壁の一つに形成された案内溝に侵入することができ、したがって、案内溝内のくさびの運動によって、固定すべき物体がその場所に入るように促される。プラテンをその軸線（Ｐ）上で回転させると、くさびは案内溝内に侵入する。くさびが溝内に入るほど、溝は、くさびと一緒にモジュールを引っ張って、くさびが特定の場所の底へ前進するように強制する。したがって、モジュールをその場所に侵入させるために、ラックをひっくり返す危険を冒して、モジュールを押す必要はない。
【００２３】
特定の場所に固定されるべき物体の良好な位置決定を検出するためのセンサを備えることが好都合であることがあり、そのセンサは、好ましくはくさびの近傍で回転する固定手段内に配置された磁石と協働するホール効果センサであることが好ましい。センサは、例えば、案内溝の近く、好ましくは溝の端部断面の近傍に位置決定される。
【００２４】
本発明はまた、本発明による固定装置のロック手段に関し、そのロック手段は、締め付け手段の内側面と協働するようにサイズが決定された支持面を備えるつめ、及び、同様にもしもの場合には締め付け手段用の回転軸（Ｎ）として働くことができる軸棒及び／または特に軸棒のもう一つの端部に固定することのできるロック解除ボタン及び／またはばねを特徴とするロック手段を提供する。
【００２５】
本発明の一実施例を、従来技術の装置と比較して下記に示す。添付図面は、以下のものを示す。
【図面の簡単な説明】
【００２６】
【図１】鉛直ホルダに固定することができる位置の従来技術の固定装置
【図２】水平ホルダに固定することができる位置の図１の装置
【図３】ロック手段が嵌まる位置にあるとき、鉛直ホルダに固定することができる立てられた位置の本発明による改良された装置
【図４】中間位置にある締め付け手段及び外れた位置にあるロック手段を備える図３の装置のプラテン及び締め付け手段
【図５】折り返された位置の締め付け手段及び戻した位置のロック手段を備える図３の装置
【図６】図３の装置の分解組み立て図
【図７ａ】立てられた位置の締め付け手段を示す図３の装置の概略側面図
【図７ｂ】中間位置の締め付け手段を示す図３の装置の概略側面図
【図７ｃ】折り返された位置の締め付け手段を示す図３の装置の概略側図
【発明を実施するための形態】
【００２７】
より明らかにするために、図１及び２には、文献フランス特許第２８８１５０７  Ａ１号で公知のような従来技術の固定装置１が図示されている。本発明の固定装置１００は、この公知の装置１の改良である。これらの二つの装置１、１００は、主に、回転式プラテン１０、１１０、回転式ナット２０、１２０及び差し錠３０、１３０の三つの部分から構成される。回転式プラテン１０、１１０及び回転式ナット２０、１２０は、固定手段を構成し、回転式ナット２０、１２０は締め付け手段を、差し錠３０、１３０はロック手段を構成する。
【実施例】
【００２８】
回転式プラテン１０、１１０は、固定すべき物体の後部壁５０、１５０に固定される。プラテンは、その回転軸線Ｐを中心にして９０°回転することができる。
【００２９】
回転式ナット２０、１２０は、主にくつわ状部材２１、１２１及び締め付けねじ２２、１２２から構成される。そのナットはプラテン１０、１１０に固定され、したがって、折り返された位置と回転軸線Ｎを中心にして四分の一回転を実施した後、立てられた位置との間をその軸線Ｎを中心にして回転することができる。図１〜３及び７ａは立てられた位置の、図４及び７ｂは中間位置、図５及び７ｃは折り返された位置の締め付け手段２０、１２０を示している。
【００３０】
締め付け手段２０、１２０は、折り返されたときプラテン１０、１１０に対向する内部側面２４、１２４、内部側面に対向する外部側面、二つの外縁部２５、１２５及び後面２３、１２３を備え、その後面は、締め付け手段２０、１２０が立てられた位置にあるときプラテンに対向する。この後面２３、１２３は、固定すべき物体の後部壁５０、１５０によりかかるようになっていて、締め付け手段が９０°の角度を越えることを防ぐための止め具として働く。もちろん、他の型の止め具を用いることもできる。
【００３１】
締め付けねじ２２、１２２は、締め付け手段の作動手段である。図示のように、締め付けねじは、常に固定手段の側面、すなわち、固定手段が固定されているモジュールの側面から、固定手段が立てられていても折り返されていても、水平位置にあっても、鉛直位置にあっても接近することができる。ユーザは、手でこのモジュールの後部壁に垂直に立てられた締め付けねじを探す必要がない。
【００３２】
安全上の理由から、ロック手段を使用して、締め付け手段２０、１２０をその開いた状態でロックする必要がある。本発明によると、これらのロック手段は、つめ１３０によって構成され、このつめは、第一の嵌まる位置（図３及び５）及び第二の外れる位置（図４）の間を移動することができる。
【００３３】
図３の嵌まる位置では、締め付け手段が立てられた位置にあると、つめは締め付け手段１２０の内側面１２４によりかかり、固定手段をこの位置でブロックする。したがって、締め付け手段１２０は、一方では、締め付け手段が折り返された位置に回転することを防ぐつめ１３０によって、もう一方では、止め具として作用し、締め付け手段が９０°に立てられたこの位置を越えることを防いでいるその後面１２３によって、すべての軸運動に対して動かないようにされている。
【００３４】
図４の外れた位置では、つめによって、締め付け手段１２０は、その外れたつめ１３０の前を通過して、プラテン１２０の方向に自由に回転することができる。締め付け手段１２０の折り返された位置では、図５及び７ｃに示すように、つめ１３０は、内側面１２４に対向するのではなくなり、外縁部１２５に対向する。また、外縁部１２５を越えた後、ナットの外部側面によりかかることも可能である。
【００３５】
状況を単純化するため、つめ１３０を、締め付け手段１２０の心棒の軸線Ｎとして働く軸１３１の端部に配置する。したがって、プラテン１１０及び締め付け手段１２０は、この軸１３１によって一緒に関節式接続される。
【００３６】
締め付け手段１２０が立てられているとき、つめ１３０をその外れた位置に確実に保持するために、つめ１３０をこの安全位置に戻そうとするばね１３２が備えられる。その結果、締め付け手段が立てられた位置でロックされているとき、締め付け手段を折り返すためには、軸１３１上のつめ１３０の反対側のロック解除ボタン１３３を押さなければならない。
【００３７】
つめ１３０の運動を自動的に制御するために、締め付け手段１２０はその外縁部１２５に配置された傾斜面１２６を備える。この傾斜面１２６は、締め付け手段の外部側面から内部側面の方へ、ほぼ円弧を描きながら延びている。この傾斜面１２６の傾斜は、その外部側面の側に配置された下端部がその内部側面１２４の側に配置された上端部より、これらの締め付け手段１２０の回転軸線Ｎに垂直な平面である締め付け手段１２０の正中面により近接している。
【００３８】
締め付け手段１２０の立てられた位置での有効で、遊びのないロックを確実にするために、下方面１２４もまた傾斜面１２４’を備え、つめ１３０は第一の傾斜面１２６の上端部から離れるとすぐに、その傾斜面１２４’を滑る。この傾斜面１２４’は、角度的に軸線Ｎからほとんど離れず、したがって、締め付け手段１２０をプラテン１１０の方へ折り返そうとしながら、つめ１３０をはずすことは不可能である。この第二の傾斜面は、つめ１３０が実際に、すなわち遊びがなく、締め付け手段１２０の内側面１２４によりかかることを保証する。つめは、ばね１３２の作用で、この第二の傾斜面１２４’を滑り、締め付け手段がプラテン１１０にほぼ垂直になるまでに、締め付け手段がその立てられる運動を終えるようにする。これらの二つの傾斜面１２４’、１２６は、図７ａから７ｃで見ることができる。
【００３９】
したがって、締め付け手段１２０がプラテン１１０に対して折り返されているとき、つめ１３０はナット１２０の外部側面の近傍で傾斜面１２６の下端部に寄りかかることが分かる。締め付け手段を立てようとすると、つめ１３０の傾斜面１２６上での滑動が引き起こされ、ばね１３２の作用に反してつめをその嵌まる位置からはずす。このばね１３２の戻し作用は、十分な外力が存在しないとき、締め付け手段１２０がどのような位置にあっても、その締め付け手段を折り返された位置に保持するのに十分である。したがって、従来技術の装置のように磁石を使用する必要がなくなる。
【００４０】
反対に、ユーザがばね１３２の戻し力を超えると、締め付け手段１２０がプラテン１１０に垂直に立てられた位置に達するまで、締め付け手段１２０を立たせることができる。この運動の間中、つめ１３０は傾斜面１２６上を滑り、その嵌まる位置から徐々に遠ざかる（図７ａ〜７ｃ）。立てられる位置に到達するとすぐに、つめ１３０が傾斜面１２６の上端部を越える。つめは支持がなくなるので、ばね１３２の戻し作用によって、第一の傾斜面より急傾斜の第二の傾斜面１２４’を滑り、再度その休止位置、すなわち、嵌まる位置に落ちる。そのようにして、締め付け手段１２０はその作業位置でロックされる。
【００４１】
締め付け手段１２０を折り返すためには、ユーザがロック解除ボタン１３３を押すだけでよい。そのとき、つめ１３０はその休止位置から十分にはずれ、締め付け手段１２０はその外れたつめ１３０の前を通過して、軸線Ｎを中心にして自由に回転することができる。
【産業上の利用可能性】
【００４２】
締め付け手段１２０は、開いた位置で、互いに９０°ずれた異なる二つの位置をとることができる。したがって、固定すべき物体は、締め付け手段１２０が水平な位置で立てられているとき（図１）には鉛直な柱に、鉛直な位置で立てられているとき（図２）には水平なレールに固定できる。したがって、同様な固定手段によって、物体を最適な空間位置に固定することができる。
【符号の説明】
【００４３】
１、  １００  固定装置
１０２  プラテン用軸溝
１０６  案内溝
１０、１１０  回転式プラテン
１１１  案内及び停止くさび
２０、１２０  回転式ナット
２１、１２１  くつわ状部材
２２、１２２  締め付けねじ
２３、１２３  ナットの後面
２４、１２４  ナットの内部側面
２５、１２５  外縁部
１２６  傾斜面
１２７  案内リブ
３０、１３０  差し錠／つめ
１３１  軸
１３２  ばね
１３３  ロック解除ボタン
５０、１５０  固定すべき物体の後部壁
【図１】
2010516955.tif 000003
【図２】
2010516955.tif 000004
【図３】
2010516955.tif 000005
【図４】
2010516955.tif 000006
【図５】
2010516955.tif 000007
【図６】
2010516955.tif 000008
【図７ａ】
2010516955.tif 000009
【図７ｂ】
2010516955.tif 000010
【図７ｃ】
2010516955.tif 000011
【国際調査報告】
2010516955.tif 000012
2010516955.tif 000013
2010516955.tif 000014
2010516955.tif 000015
2010516955.tif 000016
2010516955.tif 000017